(57)【要約】【課題】磁化の方向により情報を記録する磁気記録媒体、およびその磁気記録媒体を備えその磁気記録媒体各点における磁化に応じた情報を再生する情報再生装置に関し、フリー層の、記録領域における外周側の部分が内周側の部分より厚くなりにくい磁気記録媒体、およびその磁気記録媒体を備えその磁気記録媒体各点における磁化に応じた情報を再生する情報再生装置を提供する。【解決手段】磁性層１２２が、貫通孔１２ａを周回した所定の内周領域１２２１よりも外側の外周領域１２２２に情報を担持するものであり、フリー層１２４２の、外周領域１２２２の上の部分は、内周側の厚さよりも外周側の厚さの方が薄いものである。【選択図】        図５
2006147012.tif 000002
【特許請求の範囲】
【請求項１】
磁化の方向により情報を記録する磁気記録媒体において、
中心に貫通孔を有する円盤状の基板と、
前記基板上に設けられた、磁化の方向により情報を記録する磁性層と、
前記磁性層上に設けられた保護膜と、
前記保護膜に付着した、潤滑剤成分を含むボンド層と、
前記ボンド層上で、この磁気記録媒体が前記基板の中心を回転中心にして回転することで該基板の外周側へ向かって移動自在な、潤滑剤成分を含むフリー層とを有し、
前記磁性層が、前記貫通孔を周回した所定の内周領域よりも外側の外周領域に情報を担持するものであり、
前記フリー層の、前記外周領域の上の部分は、内周側の厚さよりも外周側の厚さの方が薄いものであることを特徴とする磁気記録媒体。
【請求項２】
前記フリー層は、表面が平坦なものであることを特徴とする請求項１記載の磁気記録媒体。
【請求項３】
磁化の方向により情報を記録する磁気記録媒体において、
円盤状の基板と、
前記基板上に設けられた、磁化の方向により情報を記録する磁性層と、
前記磁性層上に設けられた保護膜と、
前記保護膜に付着した、潤滑剤成分を含むボンド層と、
前記ボンド層上で、この磁気記録媒体が前記基板の中心を回転中心にして回転することで該基板の外周側へ向かって移動自在な、潤滑剤成分を含むフリー層とを有し、
前記ボンド層は、表面の高さ位置が前記基板の中心側よりも外周側の方が高いものであることを特徴とする磁気記録媒体。
【請求項４】
磁化により情報が記録された円盤状の磁気記録媒体と、該磁気記録媒体に近接あるいは接触して配置されて該磁気記録媒体の各点における磁化を検出する磁気ヘッドとを備え、該磁気記録媒体を回転させながら該磁気ヘッドにより検出された該磁気記録媒体各点における磁化に応じた情報を再生する情報再生装置において、
前記磁気記録媒体が、
中心に貫通孔を有する円盤状の基板と、
前記基板上に設けられた、磁化の方向により情報を記録する磁性層と、
前記磁性層上に設けられた保護膜と、
前記保護膜に付着した、潤滑剤成分を含むボンド層と、
前記ボンド層上で、この磁気記録媒体が前記基板の中心を回転中心にして回転することで該基板の外周側へ向かって移動自在な、潤滑剤成分を含むフリー層とを有し、
前記磁性層が、前記貫通孔を周回した所定の内周領域よりも外側の外周領域に情報を担持するものであり、
前記フリー層の、前記外周領域の上の部分は、内周側の厚さよりも外周側の厚さの方が薄いものであることを特徴とする情報再生装置。
【請求項５】
磁化により情報が記録された円盤状の磁気記録媒体と、該磁気記録媒体に近接あるいは接触して配置されて該磁気記録媒体の各点における磁化を検出する磁気ヘッドとを備え、該磁気記録媒体を回転させながら該磁気ヘッドにより検出された該磁気記録媒体各点における磁化に応じた情報を再生する情報再生装置において、
前記磁気記録媒体が、
円盤状の基板と、
前記基板上に設けられた、磁化の方向により情報を記録する磁性層と、
前記磁性層上に設けられた保護膜と、
前記保護膜に付着した、潤滑剤成分を含むボンド層と、
前記ボンド層上で、この磁気記録媒体が前記基板の中心を回転中心にして回転することにより該基板の外周側へ向かって移動自在な、潤滑剤成分を含むフリー層とを有し、
前記ボンド層は、表面の高さ位置が前記基板の中心側よりも外周側の方が高いものであることを特徴とする情報再生装置。
【発明の詳細な説明】
【技術分野】
【０００１】
本発明は、磁化の方向により情報を記録する磁気記録媒体、およびその磁気記録媒体を備えその磁気記録媒体各点における磁化に応じた情報を再生する情報再生装置に関する。
【背景技術】
【０００２】
近年、コンピュータの普及に伴って、日常的に多量の情報が取り扱われるようになっており、このような多量の情報を記録再生する装置の１つとして、ハードディスク装置（ＨＤＤ：Ｈａｒｄ Ｄｉｓｋ Ｄｒｉｖｅ）が使用されている。このＨＤＤには、情報が記録される円盤状の磁気記録媒体である磁気ディスク、およびその磁気ディスクに情報を記録再生する磁気ヘッドが内蔵されている。
【０００３】
磁気ディスクは、非磁性の基板上に強磁性を示す材料からなる磁性層が形成されたものである。磁性層は、複数の各微小領域に区分けされ、これらの各微小領域における磁化の方向によって情報を担持するものである。磁性層の上には、カーボンなどからなる保護膜が形成され、さらに保護膜の上にはパーフルオロポリエーテル（ＰＦＰＥ）などからなる潤滑膜が形成されている。
【０００４】
図１は、従来の磁気ディスクの潤滑膜を模式的に示す図である。
【０００５】
図１に示す潤滑膜９００を有する磁気ディスクは、中心部に貫通孔を有し、その貫通孔を周回した所定の内周領域よりも外側の外周領域に情報を担持するものである。以下、この外周領域を記録領域と称する。この磁気ディスクの貫通孔には、駆動モータによって回転するハブが装着され、磁気ディスクは、ＨＤＤの動作時には図１の左側に示す１点鎖線を回転中心にして回転する。ＨＤＤに内蔵された磁気ヘッドは、磁気ディスクに近接して配置され、磁気ディスクの回転起動・停止時に浮上面が磁気ディスクの表面と接触・摺動するが、磁気ディスクの回転中には、回転する磁気ディスク上に浮上した状態にある。
【０００６】
潤滑膜９００は、この磁気ヘッドとの摺動に伴う磨耗を抑制し、また、磁気ヘッドとの接触（ヘッドクラッシュ）により磁性層に担持された情報が破壊されることを防ぐ役目を担っている。図１に示す潤滑膜９００は、保護膜表面にＰＦＰＥの液体を０．１ｎｍ（Å）単位の精度で均一に塗布し、その後、熱処理やＵＶ照射を施すことで固化されたものである。このようにして形成された潤滑膜９００の下部は保護膜に密着しているものの、その上部は磁気ディスクが回転することで生じる遠心力によって磁気ディスク外周側（アウター側）に向かって移動する。この移動現象は、マイグレーション現象と称されることがある。図１には、潤滑膜９００のうち、保護膜に密着している下部がボンド層９１０として示されており、遠心力によってアウター側に向かって移動する上部がフリー層９２０として示されている。フリー層９２０は、磁気ヘッドとの衝突によって生じた傷を、遠心力によって移動することで埋める自己修復効果を有する。図１に示すボンド層９１０の厚さは磁気ディスク半径方向にわたって均一であり、フリー層９２０の厚さも磁気ディスク半径方向にわたって均一である。
【０００７】
また、潤滑膜について従来から様々な提案がなされており（例えば、特許文献１〜４参照）、特許文献１には、磁気ディスクの、貫通孔を周回したインナー側の内周領域（ＣＳＳ領域）におけるボンド層の厚さを、そのＣＳＳ領域の外側となる記録領域におけるボンド層の厚さよりも厚くした潤滑膜が示されている。また、特許文献２には、磁気ディスクのインナー側の内周領域（ランディングゾーン）における潤滑膜の膜厚よりも、そのランディングゾーンの外側となる記録領域における潤滑膜の膜厚を薄くした潤滑膜が示されている。さらに、特許文献３には、磁気ディスクの最内周で潤滑膜の膜厚を最大としアウター側に向かうにつれて膜厚を薄くした潤滑膜が示されている。また、特許文献４には、フリー層の厚さを薄くする技術が開示されている。
【特許文献１】特開２０００−２６８３５８号公報
【特許文献２】特表２００２−５１６４５４号公報
【特許文献３】特開昭６２−２２６４２３号公報
【特許文献４】特開２００１−１３４９２４号公報
【発明の開示】
【発明が解決しようとする課題】
【０００８】
しかしながら、磁気ディスクが長期間回転すると、図１に示す均一な厚さを有するボンド層９１０上のフリー層９２０や、特許文献１に記載されたインナー側において厚みが厚いボンド層上のフリー層は、マイグレーション現象によりアウター側に寄りやすい。
【０００９】
図２は、図１に示す潤滑膜を有する磁気ディスクを１００００ｒｐｍで高温環境下のもと３０日間連続回転させた後の、磁気ディスク半径方向における潤滑膜の膜厚を示すグラフである。
【００１０】
図２に示すグラフの横軸は、半径方向における磁気ディスク中心からの距離（ｍｍ）を示し、縦軸は潤滑膜の膜厚（Å）を示す。この図２に示すグラフには、情報を担持する記録領域における潤滑膜の膜厚が示されている。図２に示すグラフより、記録領域のアウター側ほど、潤滑膜の膜厚が厚くなっていることがわかる。これは、マイグレーション現象により、フリー層９２０がアウター側に移動したことによるものと考えられる。
【００１１】
また、特許文献２に記載されたライディングゾーンの膜厚を厚くした潤滑膜では、内周領域になるライディングゾーンにおけるフリー層の厚さの方が、外周領域になる記録領域におけるフリー層の厚さよりも厚いものの、その記録領域ではフリー層の厚みは半径方向に均一であり、このため、フリー層の、記録領域の部分は、マイグレーション現象によりアウター側に寄りやすい。
【００１２】
フリー層がアウター側に寄ってしまうと、そのアウター側の部分がインナー側の部分より厚くなってしまい、浮上した磁気ヘッドに衝突しやすくなり、磁気ヘッドが傷んだり汚れたりしてしまう。また、アウター側に寄ったフリー層は、最終的には遠心力によって磁気ディスクの外へ飛散してしまう。ボンド層上からフリー層がなくなると、上記自己修復効果を期待することができなくなるばかりか、接触した磁気ヘッドが磨耗したり傷つきやすくなる。また、ヘッドクラッシュも多発する。したがって、フリー層の、記録領域における外周側の部分が内周側の部分より厚くなってしまうことを極力抑えることが望まれる。
【００１３】
なお、特許文献３に記載されたアウター側に向かうにつれて薄くなる潤滑膜では、ボンド層とフリー層の区別がなされておらず、マイグレーション現象を考察することができない。また、特許文献４に記載されたフリー層の厚さを薄くする技術を応用したとしても、フリー層が、マイグレーション現象によりアウター側に寄りやすいことに何ら変わりはなく、フリー層をあまりに薄くしてしまうと、ボンド層上からフリー層がなくなりやすく、上述した問題が生じる。
【００１４】
本発明は上記事情に鑑み、フリー層の、記録領域における外周側の部分が内周側の部分より厚くなりにくい磁気記録媒体、およびその磁気記録媒体を備えその磁気記録媒体各点における磁化に応じた情報を再生する情報再生装置を提供することを目的とするものである。
【課題を解決するための手段】
【００１５】
上記目的を解決する本発明の第１の磁気記録媒体は、磁化の方向により情報を記録する磁気記録媒体において、
中心に貫通孔を有する円盤状の基板と、
上記基板上に設けられた、磁化の方向により情報を記録する磁性層と、
上記磁性層上に設けられた保護膜と、
上記保護膜に付着した、潤滑剤成分を含むボンド層と、
上記ボンド層上で、この磁気記録媒体が上記基板の中心を回転中心にして回転することでその基板の外周側へ向かって移動自在な、潤滑剤成分を含むフリー層とを有し、
上記磁性層が、上記貫通孔を周回した所定の内周領域よりも外側の外周領域に情報を担持するものであり、
上記フリー層の、上記外周領域の上の部分は、内周側の厚さよりも外周側の厚さの方が薄いものであることを特徴とする。
【００１６】
本発明の第１の磁気記録媒体によれば、上記フリー層の、上記外周領域の上の部分は、内周側の厚さよりも外周側の厚さの方が薄いものであることから、マイグレーション現象が生じても、外周側の厚さが薄い分、外周側の部分が内周側の部分より厚くなりにくい。ここで、上記フリー層の、上記外周領域の上の部分は、内周側から外周側に向かって漸次厚さが薄くなっているものであってもよいし、内周側から外周側に向かって段階的に薄くなっているものであってもよい。
【００１７】
上記目的を解決する本発明の第２の磁気記録媒体は、磁化の方向により情報を記録する磁気記録媒体において、
円盤状の基板と、
上記基板上に設けられた、磁化の方向により情報を記録する磁性層と、
上記磁性層上に設けられた保護膜と、
上記保護膜に付着した、潤滑剤成分を含むボンド層と、
上記ボンド層上で、この磁気記録媒体が上記基板の中心を回転中心にして回転することでその基板の外周側へ向かって移動自在な、潤滑剤成分を含むフリー層とを有し、
上記ボンド層は、表面の高さ位置が上記基板の中心側よりも外周側の方が高いものであることを特徴とする。
【００１８】
本発明の第２の磁気記録媒体によれば、上記ボンド層は、表面の高さ位置が上記基板の中心側よりも外周側の方が高いものであるため、フリー層が遠心力によって外周側へ移動しようとしても、ボンド層の、半径方向の高低差によってフリー層は移動しにくい。その結果、フリー層の、外周側の部分が内周側の部分より厚くなりにくい。ここで、上記ボンド層は、表面の高さ位置が上記基板の中心側から外周側に向かって漸次高くなっているものであってもよいし、中心側から外周側に向かって段階的に高くなっているものであってもよい。
【００１９】
また、本発明の磁気記録媒体において、上記フリー層は、表面が平坦なものであることや、あるいは、
上記ボンド層の厚さと上記フリー層の厚さを合わせた厚さが、上記基板の半径方向に均一であることが好ましい。
【００２０】
上記目的を解決する本発明の第１の情報再生装置は、磁化により情報が記録された円盤状の磁気記録媒体と、その磁気記録媒体に近接あるいは接触して配置されてその磁気記録媒体の各点における磁化を検出する磁気ヘッドとを備え、その磁気記録媒体を回転させながらその磁気ヘッドにより検出されたその磁気記録媒体各点における磁化に応じた情報を再生する情報再生装置において、
上記磁気記録媒体が、
中心に貫通孔を有する円盤状の基板と、
上記基板上に設けられた、磁化の方向により情報を記録する磁性層と、
上記磁性層上に設けられた保護膜と、
上記保護膜に付着した、潤滑剤成分を含むボンド層と、
上記ボンド層上で、この磁気記録媒体が上記基板の中心を回転中心にして回転することでその基板の外周側へ向かって移動自在な、潤滑剤成分を含むフリー層とを有し、
上記磁性層が、上記貫通孔を周回した所定の内周領域よりも外側の外周領域に情報を担持するものであり、
上記フリー層の、上記外周領域の上の部分は、内周側の厚さよりも外周側の厚さの方が薄いものであることを特徴とする。
【００２１】
上記目的を解決する本発明の第２の情報再生装置は、磁化により情報が記録された円盤状の磁気記録媒体と、その磁気記録媒体に近接あるいは接触して配置されてその磁気記録媒体の各点における磁化を検出する磁気ヘッドとを備え、その磁気記録媒体を回転させながらその磁気ヘッドにより検出されたその磁気記録媒体各点における磁化に応じた情報を再生する情報再生装置において、
上記磁気記録媒体が、
円盤状の基板と、
上記基板上に設けられた、磁化の方向により情報を記録する磁性層と、
上記磁性層上に設けられた保護膜と、
上記保護膜に付着した、潤滑剤成分を含むボンド層と、
上記ボンド層上で、この磁気記録媒体が上記基板の中心を回転中心にして回転することによりその基板の外周側へ向かって移動自在な、潤滑剤成分を含むフリー層とを有し、
上記ボンド層は、表面の高さ位置が上記基板の中心側よりも外周側の方が高いものであることを特徴とする。
【００２２】
また、本発明の情報再生装置においても、上記フリー層は、表面が平坦なものであることや、あるいは
上記ボンド層の厚さと上記フリー層の厚さを合わせた厚さが、上記基板の半径方向に均一であることが好ましい。
【発明の効果】
【００２３】
本発明によれば、フリー層の、記録領域における外周側の部分が内周側の部分より厚くなりにくい磁気記録媒体、およびその磁気記録媒体を備えその磁気記録媒体各点における磁化に応じた情報を再生する情報再生装置を提供することができる。
【発明を実施するための最良の形態】
【００２４】
以下図面を参照して本発明の実施の形態を説明する。
【００２５】
以下、本発明の実施形態について説明する。
【００２６】
図３は、本発明に係る情報記録装置の一実施形態であるハードディスクドライブを示す図である。
【００２７】
この図３に示すハードディスクドライブ（ＨＤＤ）１０は、いわゆるコンタクトスタートストップ（ＣＳＳ）方式を採用したものであり、そのハウジング１１には、本発明の磁気記憶媒体の一例に相当する磁気ディスク１２が収容されている。この磁気ディスク１２は、中心部に貫通孔を有するものであり、ハウジング１１内では、その貫通孔１２ａが、駆動モータによって回転するハブ１３に装着されている。磁気ディスク１２は、ハブ１３が回転することによって回転する。また、このハウジング１１には、磁気ディスク１２に対して情報記録と情報再生を行う磁気ヘッド１４と、先端にその磁気ヘッド１４が配備されたサスペンション１５も収容されている。磁気ヘッド１４はスライダに搭載された状態でサスペンション１５に配備されている。さらに、このハウジング１１には、サスペンション１５が固着されてアーム軸１６を中心に磁気ディスク１２表面に沿って移動するキャリッジアーム１７と、キャリッジアーム１７を駆動するアームアクチュエータ１８も収容されている。なお、ハウジング１１の内部空間は、図示しないカバーによって閉鎖される。
【００２８】
図３に示すＨＤＤ１０では、磁気ディスク１２への情報の記録および磁気ディスク１２に記憶された情報の再生にあたって、磁気回路で構成されたアームアクチュエータ１８によってキャリッジアーム１７が駆動され、圧電アクチュエータによってスライダが駆動されて、磁気ヘッド１４が、回転する磁気ディスク１２上の所望のトラックに位置決めされる。磁気ヘッド１４は、磁気ディスク１２の回転に伴って、磁気ディスク１２の各トラックに並ぶ各微小領域に順次近接する。情報の記録時には、このように磁気ディスク１２に近接した磁気ヘッド１４に電気的な記録信号が入力され、磁気ヘッド１４により、その記録信号に応じてそれらの各微小領域に磁界が印加されて、その記録信号に担持された情報が各微小領域の磁化方向として記録される。また、情報の再生時には、磁気ヘッド１４によって、各微小領域の磁化方向として記録された情報が、それらの磁化それぞれが発生する磁界に応じた電気的な再生信号として取り出される。
【００２９】
図４は、図３に示す磁気ディスクの層構造を模式的に示した図である。
【００３０】
この図４に示す磁気ディスク１２は、円盤状の非磁性の基板１２１と、その基板表面に設けられた強磁性を示す材料からなる磁性層１２２と、その磁性層表面に設けられたカーボンからなる保護膜１２３と、その保護膜表面に設けられたフッ素オイルからなる潤滑膜１２４とを有する。基板１２１は中央部分に貫通孔を有するものである。磁性層１２２は、複数の各微小領域に区分けされ、これらの各微小領域における磁化の方向によって情報を担持するものである。この磁性層１２２は、ハブ１３に装着された貫通孔１２ａを周回した所定の内周領域（ＣＳＳ領域）１２２１よりも外側の外周領域１２２２に情報を担持するものである。以下、この外周領域１２２２を記録領域１２２２と称する。なお、本発明はＣＳＳ方式に限らずいわゆるランプ方式等にも適用することができ、ランプ方式の場合には、磁気ディスクの内周領域がランディングゾーンになり、そのランディングゾーンの外側が記録領域になる。
【００３１】
潤滑膜１２４は、図３に示す磁気ヘッド１４との摺動に伴う磨耗を抑制し、また、磁気ヘッド１４との接触（ヘッドクラッシュ）により磁性層１２２に担持された情報が破壊されることを防ぐ役目を担っている。図３に示す潤滑膜１２４は、パーフルオロポリエーテル（ＰＦＰＥ）の液体を０．１ｎｍ（Å）単位の精度で均一に塗布し、その後、後述する後処理を施したものである。この潤滑膜１２４は、保護膜側となる下側部分はその保護膜１２３に密着しているものの、上側部分は磁気ディスク１２が回転することで生じる遠心力によって磁気ディスクの外周側（アウター側）に向かって移動する。この移動現象は、マイグレーション現象と称されることがある。以下では、潤滑膜１２４のうち、保護膜１２３に密着している下側部分をボンド層と称し、遠心力によってアウター側に向かって移動する上側部分をフリー層と称することにする。フリー層は、磁気ヘッド１４との衝突によって生じた傷を、遠心力によって移動することで埋める自己修復効果を有する。
【００３２】
このような潤滑膜１２４に要求される特性としては、低摩擦係数を示すこと（主にフリー層）、化学的に安定であること、保護膜１２３と適度な密着性があること（主にボンド層）、湿度の影響を受けにくいこと等があげられる。また、潤滑膜１２４を形成するにあたって塗布する溶液は、ＰＦＰＥに限らず、分子蒸発を抑制する観点から分子量が大きく、分子同士の滑り易さを得るために表面張力が低く、良好な塗布性やフリー層において上記自己修復効果を得るために粘度が低いものであれば好ましい。なお、液体に限らず固体を塗布してもよい。
【００３３】
ＰＦＰＥの分子構造は、主鎖の末端に極性基を結合させたものであり、さまざまな組合せのＰＦＰＥが合成される。潤滑膜の潤滑特性は、ＰＦＰＥの主鎖構造、分子量、末端構造に強く影響を受ける。すなわち、主鎖構造、分子量は摩擦特性、磁気ヘッド１４の吸着に関係し、末端構造は保護膜１２３との密着性に影響する。そのため、これらの関係や影響を踏まえた上で、好適な分子構造を有するＰＦＰＥを選択する。
【００３４】
ＰＦＰＥの塗布にあたっては、ディップ方式やスピン方式が用いられる。ディップ方式では、ＰＦＰＥ溶液中に、保護膜１２３までが形成された基板１２１を漬けておき、その基板１２１を引き上げたりあるいはＰＦＰＥ溶液の液面を降下させたりすることによってＰＦＰＥの塗布を行う。このディップ方式は、大量生産に向いており膜厚制御が容易である。また、膜厚が均一になるように塗布することができるものの、これは反対に均一にしか塗布できないことになる。さらに、ＰＦＰＥ溶液中に不純物が混入しやすく、液更新時に大量のＰＦＰＥ溶液が必要になるといった欠点がある。一方、スピン方式は、ディップ方式に比べ量産性は劣るものの、不純物の混入は少ない。また、半径方向に膜厚が異なるように塗布することは容易にできるものの、均一に塗布することは難しい。ここでは、膜厚が均一になるように塗布することができるディップ方式によってＰＦＰＥの塗布を行う。
【００３５】
ＰＦＰＥを塗布した後の後処理はボンド層を形成するために行われる。すなわち、潤滑膜１２４と保護膜１２３との密着性を向上させ、長時間の回転による潤滑膜の減少を抑制し（耐マイグレーション）、耐久性を保持することにある。また、摩擦特性に対する潤滑膜の膜厚マージンを拡大させる働きもある。この後処理として、ここではＵＶ照射処理を行う。
【００３６】
ＵＶ照射処理では、低圧水銀ランプを両面に配置したチャンバー内に、ＰＦＰＥを塗布した基板１２１を挿入し、ランプ前面を通過させることで照射を行う。大気中でＵＶ照射処理を行うとオゾンを生成し、ＰＦＰＥを塗布した表面の有機物が除去される。また、保護膜表面もコンタミが除去され活性面が増加するため、潤滑膜とより結合しやすい状態になる。なお、ＵＶ照射処理では熱が全くかからないことから、熱により蒸発する不純物を予め除去したＰＦＰＥ溶液を塗布することが必要になる。このようなＵＶ照射処理によれば、照射時間を調整することでボンド層の厚さを自由に制御することができる。
【００３７】
ここでは、ボンド層の厚さを、基板１２１の半径方向に４段階にわたって変えるため、円盤状の、半径が異なる３種類のマスクを使用する。まず、記録領域１２２２を基板１２１の半径方向に４分割し、ＣＳＳ領域１２２１の外周に内周が接した状態でＣＳＳ領域１２２１の外側を周回した第１周回領域、その第１周回領域の外周に内周が接した状態で第１周回領域の外側を周回した第２周回領域、その第２周回領域の外周に内周が接した状態で第２周回領域の外側を周回した第３周回領域、およびその第３周回領域の外周を内周とし基板１２１の外周縁を外周とした第４周回領域に分ける。各周回領域の幅（半径方向の長さ）は同じである。次いで、ＣＳＳ領域１２２１と第１周回領域との双方を覆う第１マスク、ＣＳＳ領域１２２１と第１および第２周回領域の３領域を覆う第２マスク、ならびにＣＳＳ領域１２２１と第１〜第３周回領域の４領域を覆う第３マスクを用意する。続いて、ＰＦＰＥ溶液が塗布された塗布面全面を所定時間ＵＶ照射した後、塗布面を第３マスクによって覆い所定時間ＵＶ照射する。次いで、塗布面を第２マスクによって覆い所定時間ＵＶ照射する。最後に、塗布面を第１マスクによって覆い所定時間ＵＶ照射する。
【００３８】
なお、後処理としてＵＶ照射処理に代えて加熱処理を行うこともできる。この加熱処理を行う場合でも、加熱時間や加熱温度を調整することでボンド層の厚さを、基板１２１の半径方向に４段階にわたって変えることができる。例えば、上述した各マスクを断熱材で作製しそれらのマスクを用いて部分的な加熱を行ってもよいし、あるいは、加熱温度や加熱時間を基板の半径方向で４段階に異ならせてもよい。また、４段階に限らず、３段階あるいは５段階に異ならせてもよい。
【００３９】
図５は、図４に示す潤滑膜をボンド層とフリー層で区別して模式的に示した図である。
【００４０】
図５に示す上下に延びる１点鎖線は、図５に示す潤滑膜１２４を有する磁気ディスクの回転中心軸である。したがって、図５に示す潤滑膜１２４は、図の左側がインナー側になり、右側がアウター側になり、図の左右方向が図４に示す基板１２１の半径方向になる。
図５には、表面１２４１ａの高さ位置がインナー側からアウター側に向かって段階的に高くなっているボンド層１２４１が示されている。すなわち、このボンド層１２４１の表面１２４１ａの高さ位置は、基板の中心側よりも外周側の方が高い。ボンド層１２４１の、最も高さ位置が低い部分１２４１＿１は、図４に示す磁性層１２２のＣＳＳ領域１２２１と記録領域１２２２の上記第１周回領域に対応した領域であり、その部分１２４１＿１の右側に隣接した次に高さ位置が低い部分１２４１＿２は、記録領域１２２２の上記第２周回領域に対応した領域である。また、ボンド層１２４１の、最も高さ位置が高い部分１２４１＿４は、記録領域１２２２の上記第４周回領域に対応した領域であり、その最も高い部分１２４１＿１の左側に隣接した次に高さ位置が高い部分１２４１＿３は、記録領域１２２２の上記第３周回領域に対応した領域である。
【００４１】
また、図５には、インナー側からアウター側に向かって膜厚が段階的に薄くなっているフリー層１２４２も示されている。すなわち、このフリー層１２４２の、記録領域１２２２の上の部分は、内周側の厚さよりも外周側の厚さの方が薄い。また、図５に示すフリー層１２４２は、表面１２４２ａが平坦なものであり、潤滑膜１２４の膜厚は、半径方向に均一である。すなわち、ボンド層１２４１の厚さとフリー層１２４２の厚さを合わせた厚さは半径方向に均一である。
【００４２】
図３に示すＨＤＤ１０では、磁気ディスク１２が回転しフリー層１２４１が遠心力によってアウター側へ移動しようとしても、図５に示すボンド層１２４１の、半径方向の高低差によってフリー層１２４２は移動しにくい。その結果、フリー層１２４１の、アウター側の部分がインナー側の部分より厚くなりにくい。また、図３に示すＨＤＤ１０では、マイグレーション現象が生じても、図５に示すフリー層１２４２は外周側の厚さが薄い分、外周側の部分が内周側の部分より厚くなりにくい。
【００４３】
図６は、図５に示す潤滑膜を有する磁気ディスクを１００００ｒｐｍで高温環境下のもと３０日間連続回転させた後の、磁気ディスク半径方向における潤滑膜の膜厚を示すグラフである。
【００４４】
図６に示すグラフの横軸は、半径方向における磁気ディスク中心からの距離（ｍｍ）を示し、縦軸は潤滑膜の膜厚（Å）を示す。この図６に示すグラフには、図４に示す記録領域１２２２における潤滑膜１２４の膜厚が示されている。図６に示すグラフより、潤滑膜１２４の膜厚が、半径方向に均一（１０Å程度）であることがわかる。
【００４５】
図７は、ＰＦＰＥを塗布した後の後処理の条件を変更したことによって得られた潤滑膜をボンド層とフリー層で区別して模式的に示した図である。
【００４６】
図７においても、上下に延びる１点鎖線は、図７に示す潤滑膜１２５を有する磁気ディスクの回転中心軸であり、図の左側がインナー側になり、右側がアウター側になる。この図７には、表面１２５１ａの高さ位置がインナー側からアウター側に向かって漸次高くなっているボンド層１２５１が示されている。また、図７には、インナー側からアウター側に向かって膜厚が漸次薄くなっているフリー層１２５１も示されている。このフリー層１２５２も、表面１２５２ａが平坦なものであり、図７に示す潤滑膜１２５の膜厚も、半径方向に均一である。
【００４７】
図７に示す潤滑膜１２５においても、磁気ディスクが回転しフリー層１２５１が遠心力によってアウター側へ移動しようとしても、図５に示すボンド層１２５１の、半径方向の高低差によってフリー層１２５２は移動しにくい。その結果、フリー層１２５１の、アウター側の部分がインナー側の部分より厚くなりにくい。また、マイグレーション現象が生じても、図７に示すフリー層１２５２は外周側の厚さが薄い分、外周側の部分が内周側の部分より厚くなりにくい。
【００４８】
なお、ボンド層１２５２よりも下の保護膜表面の高さ位置をインナー側からアウター側に向かって漸次高くなるようにして、ボンド層１２５１の厚みを均一に塗布しても、表面１２５１ａの高さ位置がインナー側からアウター側に向かって漸次高くなっているボンド層１２５１が得られる。
【００４９】
また、本発明では、フリー層１２４２，１２５２の表面１２４２ａ，１２５２ａは、必ずしも平坦である必要はなく、さらに、潤滑膜１２４，１２５の膜厚も、必ずしも半径方向に均一である必要はない。
【００５０】
以上説明したように、本実施形態における磁気記録媒体は、フリー層の、記録領域における外周側の部分が内周側の部分より厚くなりにくい。
【００５１】
以下、本発明の各種態様を付記する。
【００５２】
（付記１）
磁化の方向により情報を記録する磁気記録媒体において、
中心に貫通孔を有する円盤状の基板と、
前記基板上に設けられた、磁化の方向により情報を記録する磁性層と、
前記磁性層上に設けられた保護膜と、
前記保護膜に付着した、潤滑剤成分を含むボンド層と、
前記ボンド層上で、この磁気記録媒体が前記基板の中心を回転中心にして回転することで該基板の外周側へ向かって移動自在な、潤滑剤成分を含むフリー層とを有し、
前記磁性層が、前記貫通孔を周回した所定の内周領域よりも外側の外周領域に情報を担持するものであり、
前記フリー層の、前記外周領域の上の部分は、内周側の厚さよりも外周側の厚さの方が薄いものであることを特徴とする磁気記録媒体。
【００５３】
（付記２）
前記フリー層は、表面が平坦なものであることを特徴とする付記１記載の磁気記録媒体。
【００５４】
（付記３）
前記ボンド層の厚さと前記フリー層の厚さを合わせた厚さが、前記基板の半径方向に均一であることを特徴とする付記１記載の磁気記録媒体。
【００５５】
（付記４）
磁化の方向により情報を記録する磁気記録媒体において、
円盤状の基板と、
前記基板上に設けられた、磁化の方向により情報を記録する磁性層と、
前記磁性層上に設けられた保護膜と、
前記保護膜に付着した、潤滑剤成分を含むボンド層と、
前記ボンド層上で、この磁気記録媒体が前記基板の中心を回転中心にして回転することで該基板の外周側へ向かって移動自在な、潤滑剤成分を含むフリー層とを有し、
前記ボンド層は、表面の高さ位置が前記基板の中心側よりも外周側の方が高いものであることを特徴とする磁気記録媒体。
【００５６】
（付記５）
前記フリー層は、表面が平坦なものであることを特徴とする付記４記載の磁気記録媒体。
【００５７】
（付記６）
前記ボンド層の厚さと前記フリー層の厚さを合わせた厚さが、前記基板の半径方向に均一であることを特徴とする付記４記載の磁気記録媒体。
【００５８】
（付記７）
磁化により情報が記録された円盤状の磁気記録媒体と、該磁気記録媒体に近接あるいは接触して配置されて該磁気記録媒体の各点における磁化を検出する磁気ヘッドとを備え、該磁気記録媒体を回転させながら該磁気ヘッドにより検出された該磁気記録媒体各点における磁化に応じた情報を再生する情報再生装置において、
前記磁気記録媒体が、
磁化の方向により情報を記録する磁気記録媒体において、
中心に貫通孔を有する円盤状の基板と、
前記基板上に設けられた、磁化の方向により情報を記録する磁性層と、
前記磁性層上に設けられた保護膜と、
前記保護膜に付着した、潤滑剤成分を含むボンド層と、
前記ボンド層上で、この磁気記録媒体が前記基板の中心を回転中心にして回転することで該基板の外周側へ向かって移動自在な、潤滑剤成分を含むフリー層とを有し、
前記磁性層が、前記貫通孔を周回した所定の内周領域よりも外側の外周領域に情報を担持するものであり、
前記フリー層の、前記外周領域の上の部分は、内周側の厚さよりも外周側の厚さの方が薄いものであることを特徴とする情報再生装置。
【００５９】
（付記８）
前記フリー層は、表面が平坦なものであることを特徴とする付記７記載の情報再生装置。
【００６０】
（付記９）
前記ボンド層の厚さと前記フリー層の厚さを合わせた厚さが、前記基板の半径方向に均一であることを特徴とする付記７記載の情報再生装置。
【００６１】
（付記１０）
磁化により情報が記録された円盤状の磁気記録媒体と、該磁気記録媒体に近接あるいは接触して配置されて該磁気記録媒体の各点における磁化を検出する磁気ヘッドとを備え、該磁気記録媒体を回転させながら該磁気ヘッドにより検出された該磁気記録媒体各点における磁化に応じた情報を再生する情報再生装置において、
前記磁気記録媒体が、
円盤状の基板と、
前記基板上に設けられた、磁化の方向により情報を記録する磁性層と、
前記磁性層上に設けられた保護膜と、
前記保護膜に付着した、潤滑剤成分を含むボンド層と、
前記ボンド層上で、この磁気記録媒体が前記基板の中心を回転中心にして回転することにより該基板の外周側へ向かって移動自在な、潤滑剤成分を含むフリー層とを有し、
前記ボンド層は、表面の高さ位置が前記基板の中心側よりも外周側の方が高いものであることを特徴とする情報再生装置。
【００６２】
（付記１１）
前記フリー層は、表面が平坦なものであることを特徴とする付記１０記載の情報再生装置。
【００６３】
（付記１２）
前記ボンド層の厚さと前記フリー層の厚さを合わせた厚さが、前記基板の半径方向に均一であることを特徴とする付記１０記載の情報再生装置。
【図面の簡単な説明】
【００６４】
【図１】従来の磁気ディスクの潤滑膜を模式的に示す図である。
【図２】図１に示す潤滑膜を有する磁気ディスクを１００００ｒｐｍで高温環境下のもと３０日間連続回転させた後の、磁気ディスク半径方向における潤滑膜の膜厚を示すグラフである。
【図３】本発明に係る情報記録装置の一実施形態であるハードディスクドライブを示す図である。
【図４】図３に示す磁気ディスクの層構造を模式的に示した図である。
【図５】図４に示す潤滑膜をボンド層とフリー層で区別して模式的に示した図である。
【図６】図５に示す潤滑膜を有する磁気ディスクを１００００ｒｐｍで高温環境下のもと３０日間連続回転させた後の、磁気ディスク半径方向における潤滑膜の膜厚を示すグラフである。
【図７】ＰＦＰＥを塗布した後の後処理の条件を変更したことによって得られた潤滑膜をボンド層とフリー層で区別して模式的に示した図である。
【符号の説明】
【００６５】
１０    ハードディスクドライブ
１２    磁気ディスク
１２ａ    貫通孔
１２１    基板
１２２    磁性層
１２２１    内周領域（ＣＳＳ領域）
１２２２    外周領域（記録領域）
１２３    保護膜
１２４    潤滑膜
１２４１    ボンド層
１２４１ａ    表面
１２４２    フリー層
１３    ハブ
１４    磁気ヘッド
１５    サスペンション
１６    アーム軸
１７    キャリッジアーム
１８    アームアクチュエータ
【図１】
2006147012.tif 000003
【図２】
2006147012.tif 000004
【図３】
2006147012.tif 000005
【図４】
2006147012.tif 000006
【図５】
2006147012.tif 000007
【図６】
2006147012.tif 000008
【図７】
2006147012.tif 000009